(57)【要約】
【課題】  本考案は、作業を行いながら電池の充電ができるようにすることで、充電のたびに一時的に使用を止める必要をなくし、継続して作業を行うことができる回転式電動工具を提供する。
【解決手段】  交流電流を直流電流に変換して出力可能な充電器１、充電器用プラグの差込口２、スイッチ３、駆動ユニット４、電動機５、電池７、発光ダイオード（ＬＥＤ）８、ケーシング９を備え、差込口２に充電器１を接続して給電している時には、スイッチ３をオンにすれば、給電された電流の一部でＬＥＤ８を点灯させ、残りの電流で電池７を充電するとともに、電動機５を駆動し、スイッチ３をオフにすれば、給電された電流で電池７を充電するとともに、ＬＥＤ８を点灯させ、差込口２に充電器１を接続していない時に、スイッチ３をオンにすれば、電池７の電力で電動機５を駆動させる回路を具備し、電池７を充電する際に、充電電流が所定の値以上にならないように抑制するとともに、充電電流が不足している場合には、充電器１から不足分を供給させるように働き、且つ電池７の満充電時にはＬＥＤ８を点滅させるか、若しくは点灯させないようにするコントロールパネル６をケーシング９内に設ける。
【選択図】  図１
0003100620.tif 000002
【実用新案登録請求の範囲】
【請求項１】
交流電流を直流電流に変換して出力可能な充電器（１）、充電器用プラグの差込口（２）、スイッチ（３）、駆動ユニット（４）、電動機（５）、電池（７）、発光ダイオード（８）、ケーシング（９）を備えた回転式電動工具において、
差込口（２）に充電器（１）を接続して給電している時に、スイッチ（３）をオンにすれば、給電された電流の一部で発光ダイオード（８）を点灯させ、残りの電流で電池（７）を充電するとともに、電動機（５）を駆動し、スイッチ（３）をオフにすれば、給電された電流で電池（７）を充電するとともに、発光ダイオード（８）を点灯させ、差込口（２）に充電器（１）を接続していない時に、スイッチ（３）をオンにすれば、電池（７）の電力で電動機（５）を駆動させる回路を備え、電池（７）に流れる充電電流が所定値以上にならないように抑制するとともに、充電電流が不足している場合には、充電器（１）から不足分を供給させるように働き、且つ電池（７）の満充電時には発光ダイオード（８）を点滅させるか、若しくは点灯させないようにするコントロールパネル（６）をケーシング（９）内に設けたことを特徴とする回転式電動工具。
【請求項２】
コントロールパネル（６）が、集積回路（ＩＣ）と第１の抵抗（Ｒ１）と第１のダイオード（Ｄ１）と第２のダイオード（Ｄ２）とを直列に接続した構成となっており、差込口（２）から給電された電流が、電池（７）、集積回路（ＩＣ）、第１の抵抗（Ｒ１）、第１のダイオード（Ｄ１）の順に流れて再び差込口（２）に流れ込むと同時に、発光ダイオード（８）と第２の抵抗（Ｒ２）を経て差込口（２）に流れ込む回路と、スイッチ（３）をオンにした時に、差込口（２）から給電された電流の一部が、スイッチ（３）を介して電動機（５）に流れた後に差込口（２）に流れ込む回路とを備えていることを特徴とする請求項１記載の回転式電動工具。
【考案の詳細な説明】
【技術分野】
【０００１】
本考案は、回転式電動工具であって、充電式の電動工具としても交流式の電動工具としても使用可能なだけでなく、交流式の電動工具として使用しながら内臓された電池に充電することができる回転式電動工具に関するものである。
【背景技術】
【０００２】
従来の回転式電動工具のうち、充電することであらかじめ内臓された電池に電気を蓄え、この電池の電力によって制御回路やモータ等を駆動しているものがある（例えば、特許文献１参照）。
【特許文献１】特開２００３−２０９９６０号公報（第２〜４頁、第１および２図）
【考案の開示】
【考案が解決しようとする課題】
【０００３】
このような充電式の電動工具は、使用する際、必ず電池を一定レベルまで充電しておかなければならず、使用中にある程度電力を消費した場合には、必ず一定時間使用を止めて、再度電池を充電し直さないと使用できない。したがって、電池の容量によって決まる所定の時間以上は続けて使用することができないため、工具一回の使用に付き作業時間が制限され、連続作業を行うことができない。
【０００４】
本考案は、作業を行いながら電池の充電ができるようにすることで、充電のたびに一時的に使用を止める必要をなくし、継続して作業を行うことができる回転式電動工具を提供することを目的とする。
【課題を解決するための手段】
【０００５】
上記の課題を解決するために、本考案の回転式電動工具（以下、電動工具ともいう）は、交流電流を直流電流に変換して出力可能な充電器、充電器用プラグの差込口、スイッチ、駆動ユニット、電動機、電池、発光ダイオード（以下、ＬＥＤともいう）、ケーシングを備えた回転式電動工具において、
前記差込口に充電器を接続して給電している時に、前記スイッチをオンにすれば、給電され電流の一部で前記ＬＥＤを点灯させ、残りの電流で前記電池を充電するとともに、前記電動機を駆動し、前記スイッチをオフにすれば、給電された電流で前記電池を充電するとともに、前記ＬＥＤを点灯させ、前記差込口に充電器を接続していない時に、前記スイッチをオンにすれば、前記電池の電力で電動機を駆動させる回路を具備するとともに、前記電池に流れる充電電流が所定値以上にならないように抑制するとともに、充電電流が不足している場合には、前記充電器から不足分を供給させるように働き、且つ前記電池７の満充電時には前記ＬＥＤを点滅させるか、若しくは点灯させないようにするコントロールパネルを前記ケーシング内に設けたことを特徴としている。
【０００６】
また、前記コントロールパネルを、集積回路、第１の抵抗、第１のダイオード、第２のダイオードとを直列に接続した構成とし、前記差込口から給電された電流が、前記の電池、集積回路、第１の抵抗、第１のダイオードの順に流れて再び前記差込口に流れ込むと同時に、前記ＬＥＤ、第２の抵抗を経て前記差込口に流れ込む回路と、前記スイッチをオンにした時に、前記差込口から給電された電流の一部が、前記スイッチを介して電動機に流れた後に前記差込口に流れ込む回路とを具備させても良い。
【０００７】
本考案の回転式電動工具によれば、充電のために電池を取り出さなくても良く、前記差込口に充電器を接続することで電動工具に電力を供給して、前記電池を充電することができると同時に、前記充電器の電力を電動機に供給して、前記電動工具を通常の状態で使用がすることができる。また、前記コントロールパネルにより、前記充電器から供給されて前記電池に流れる充電電流が、所定の値になるように制御されるので、適切な充電状態とすることができ、前記電池の過充電による破損を避けることができる。
【考案の効果】
【０００８】
本考案の利点は、電動工具の電池の電力が不足している場合でも、充電器を接続すれば直ぐに電動工具を通常の状態で使用でき、且つ電池を適切な充電状態にすることができる、電池の充電と電動工具の使用とを平行して行える点である。
【考案を実施するための最良の形態】
【０００９】
図１に示すように、回転式電動工具１０は、交流電流を直流電流に変換して出力可能な充電器１、充電器用プラグの差込口２、スイッチ３、駆動ユニット４、電動機５、電池７、ＬＥＤ８、コントロールパネル６等をケーシング９内に配設したものである。
【００１０】
そして、図２に示すように、差込口２の出力側に電池７と、電動機５を接続したスイッチ３とを並列に接続するとともに、電池７とスイッチ３との出力側をそれぞれコントロールパネル６に接続し、コントロールパネル６の出力側を差込口２に接続することにより閉じた回路を構成している。ＬＥＤ８は、電池７やスイッチ３および集積回路ＩＣと並列になるように回路内に接続されている。
【００１１】
したがって、差込口２に充電器１を接続して給電している時には、スイッチ３をオンにすれば、給電された電流の一部でＬＥＤ８を点灯させることができ、残りの電流で電池７を充電するとともに、電動機５を駆動させることができる。また、スイッチ３をオフにすれば、給電された電流で電池７を充電するとともに、ＬＥＤ８を点灯させることができる。それから、差込口２に充電器１を接続していない場合には、スイッチ３をオンにすれば、電池７の電力を供給して電動機５を駆動させることができる。
【００１２】
コントロールパネル６は、電池７を流れる充電電流が所定値以上にならないように抑制するとともに、充電電流が不足している場合には、充電器１から不足分を供給させるように働く。また、電池７の満充電時にはＬＥＤ８を点滅させるか、若しくは点灯させないようにすることもできる。
【００１３】
このコントロールパネル６は、集積回路ＩＣと第１の抵抗Ｒ１と第１のダイオードＤ１と第２のダイオードＤ２とを直列に接続して構成されている。そして、このコントロールパネル６を用いて、差込口２から供給された直流電流が電池７、集積回路ＩＣ、第１の抵抗Ｒ１、第１のダイオードＤ１の順で流れ再び差込口２に流れ込むと同時に、ＬＥＤ８と第２の抵抗Ｒ２を経て差込口２に流れ込む回路と、スイッチ３がオンの時に、差込口２から供給された直流電流の一部がスイッチ３を介して電動機５に流れた後に再び差込口２に流れ込むような回路とが構成されている。
【００１４】
このような電動工具１０は、電池７の充電量が不足している場合には、充電器１を差込口２に接続して電動工具１０に給電を行う。すると、電池７、集積回路ＩＣ、第１の抵抗Ｒ１、第１のダイオードＤ１からなる回路に電流が流れ電池７が充電される。この際、コントロールパネル６の集積回路ＩＣと第１の抵抗Ｒ１とにより、電池７に流れる充電電流が、所定値以上にならないように制限されるので、過電流による電池７の損傷等を避けることができる。また同時に、ＬＥＤ８と抵抗Ｒ１とにも電流が流れて、ＬＥＤ８が点灯する。こうして、ＬＥＤ８の点灯により電池７が充電状態にあることを確認できる。さらに、ＬＥＤ８が点滅したり、点灯しなくなったりすることにより、電池７が満充電の状態であることを知ることができる。
【００１５】
上記のように充電器１を差込口２に接続した状態でスイッチ３をオンにすれば、スイッチ３を介して電動機５にも電流を供給することができるので、電池７を充電しつつ電動機５を駆動させることができるのである。
【００１６】
そして、電池７を一定レベルまで充電すれば、充電器１を差込口２から外しておいても良い。この状態でスイッチ３をオンにすれば、電動機５が接続されたスイッチ３と第２のダイオードＤ２と電池７とからなる閉じた回路によって、電池７に充電された電流を電動機５へ供給できるからである。したがって、充電器１を用いることなく駆動ユニット４を動かし、作業を行うことができるのである。
【００１７】
また、スイッチ３の切替えによって、電動機５の電流の入力側と出力側とを入替えて回転方向を変えれるようになっている。これを具体的に説明すると、スイッチ３に接続されているスイッチレバー１１の上側を押えると、駆動ユニット４に接続されているチャック部１２を正回転させることができ、下側を押えると逆回転させることができるのである（図３参照）。したがって、ドライバービット等を装着すれば、ネジの取付・取外しを１つのレバーの操作だけで簡単に行なえる電動ドライバーとして使用できる。
【００１８】
スイッチレバー１１にはロック機構が設けられており、グリップ部分のスイッチレバー１１付近にある、切換スイッチ１３を上側に押し上げた状態にすれば、スイッチレバー１１をロックすることができ、下側に下げた状態にすれば、スイッチレバー１１のロックを解除することができる。これにより、スイッチレバー１１をロックして、ビットを固定するチャック部１２の不用意な回転を防止できるようになっている。さらに、ケーシング９のグリップ部分には、表面に細かい凹凸を形成し滑り止め１４を設けているので、より安全に電動工具１０を扱うことができる。
【００１９】
チャック部１２は、先端部をケーシング９の外側に突設させた状態で駆動ユニット４に接続されており、その先端部からビットの後端部を挿入したうえで、電動工具１０の先端部のカバー１５を回転させると、ビットの固定ができるようになっている。
【図面の簡単な説明】
【００２０】
【図１】本考案に係る回転式電動工具の内部構造を示す説明図である。
【図２】コントロールパネルの配線図である。
【図３】本考案に係る回転式電動工の正面図である。
【符号の説明】
【００２１】
１  充電器
２  差込口
３  スイッチ
４  駆動ユニット
５  電動機
６  コントロールパネル
７  電池
８  発光ダイオード（ＬＥＤ）
９  ケーシング
１０  回転式電動工具（電動工具）
１１  スイッチレバー
１２  チャック部
１３  切換スイッチ
１４  滑り止め
１５  カバー
【図１】
0003100620.tif 000003
【図２】
0003100620.tif 000004
【図３】
0003100620.tif 000005